【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
光学エンジンと、
前記光学エンジンからの映像光から表示画面データを得る検知手段と、
前記表示画面データに基づいて補正データを得ると共に、前記補正データをメモリに書き込む手段と、
前記メモリに書き込まれた補正データに基づいて前記光学エンジンに入力されるビデオ信号を補正する手段とを有し、
前記メモリに書き込まれた補正データは定期的に書き換えられることを特徴とした表示装置。
【請求項２】
光学エンジンと、
前記光学エンジンからの映像光が表示されるスクリーンと、
前記映像光を前記スクリーンに導くミラーと、
前記ミラー及び前記スクリーンを介さずに前記映像光から表示画面データを得る検知手段と、
前記表示画面データをデジタル信号に変換するＡ／Ｄ変換器と、
前記デジタル信号に変換された表示画面データから補正データを得ると共に、前記補正データをメモリに書き込む手段と、
前記メモリに書き込まれた補正データに基づいて前記光学エンジンに入力されるビデオ信号を補正する手段とを有し、
前記メモリに書き込まれた補正データは定期的に書き換えられることを特徴とした表示装置。
【請求項３】
光学エンジンと、
前記光学エンジンからの映像光が表示されるスクリーンと、
前記映像光を前記スクリーンに導くミラーと、
前記映像光から表示画面データをデジタル信号として検知可能な、前記光学エンジンから前記スクリーンへの光路中に設けられた基材又は支持台に取り付けられたセンサと、
前記表示画面データに基づいて補正データを得ると共に、前記補正データをメモリに書き込む演算処理装置と、
前記メモリに書き込まれた補正データに基づいて前記光学エンジンに入力されるビデオ信号を補正するガンマ補正回路とを有し、
前記メモリに書き込まれた補正データは前記演算処理装置によって定期的に書き換えられることを特徴とした表示装置。
【請求項４】
光学エンジンと、
前記光学エンジンからの映像光が表示されるスクリーンと、
前記映像光を前記スクリーンに導くミラーと、
前記映像光から表示画面データをアナログ信号として検知可能な、前記光学エンジンから前記スクリーンへの光路中に設けられた基材又は支持台に取り付けられたセンサと、
前記表示画面データをデジタル信号に変換するＡ／Ｄ変換器と、
前記デジタル信号に変換された表示画面データから補正データを得ると共に、前記補正データをメモリに書き込む演算処理装置と、
前記メモリに書き込まれた補正データに基づいて前記光学エンジンに入力されるビデオ信号を補正するガンマ補正回路とを有し、
前記メモリに書き込まれた補正データは前記演算処理装置によって定期的に書き換えられることを特徴とした表示装置。
【請求項５】
前記検知手段は前記光学エンジンのレンズカバーに取り付けられたセンサであることを特徴とした請求項１又は２に記載の表示装置。
【請求項６】
リアプロジェクタ型表示装置であることを特徴とした請求項１乃至５のいずか一に記載の表示装置。
【請求項７】
映像光を得る手段と、
前記映像光から表示画面データを得る検知手段と、
前記表示画面データに基づいて補正データを得ると共に、前記補正データをメモリに書き込む手段と、
前記メモリに書き込まれた補正データに基づいて前記映像光を得る手段に入力されるビデオ信号を補正する手段とを有し、
前記メモリに書き込まれた補正データは定期的に書き換えられることを特徴とした表示装置補正システム。
【請求項８】
前記映像光を得る手段は光学エンジンであることを特徴とした請求項７に記載の表示装置補正システム。
【請求項９】
前記検知手段はセンサであり、前記表示画面データは前記映像光を直接前記センサーで読み取りＡ／Ｄ変換器でデジタル信号に変換されたものであることを特徴とした請求項７又は８に記載の表示装置補正システム。
【手続補正２】
【補正対象書類名】明細書
【補正対象項目名】００１２
【補正方法】変更
【補正の内容】
【００１２】
【課題を解決するための手段】
本明細書で開示する本発明の構成は、
光学エンジンと、
前記光学エンジンからの映像光から表示画面データを得る検知手段と、
前記表示画面データに基づいて補正データを得ると共に、前記補正データをメモリに書き込む手段と、
前記メモリに書き込まれた補正データに基づいて前記光学エンジンに入力されるビデオ信号を補正する手段とを有し、
前記メモリに書き込まれた補正データは定期的に書き換えられることを特徴とした表示装置である。
【手続補正３】
【補正対象書類名】明細書
【補正対象項目名】００１３
【補正方法】変更
【補正の内容】
【００１３】
また、本発明の他の構成は、
光学エンジンと、
前記光学エンジンからの映像光が表示されるスクリーンと、
前記映像光を前記スクリーンに導くミラーと、
前記ミラー及び前記スクリーンを介さずに前記映像光から表示画面データを得る検知手段と、
前記表示画面データをデジタル信号に変換するＡ／Ｄ変換器と、
前記デジタル信号に変換された表示画面データから補正データを得ると共に、前記補正データをメモリに書き込む手段と、
前記メモリに書き込まれた補正データに基づいて前記光学エンジンに入力されるビデオ信号を補正する手段とを有し、
前記メモリに書き込まれた補正データは定期的に書き換えられることを特徴とした表示装置である。
【手続補正４】
【補正対象書類名】明細書
【補正対象項目名】００１４
【補正方法】変更
【補正の内容】
【００１４】
また、本発明の他の構成は、
光学エンジンと、
前記光学エンジンからの映像光が表示されるスクリーンと、
前記映像光を前記スクリーンに導くミラーと、
前記映像光から表示画面データをデジタル信号として検知可能な、前記光学エンジンから前記スクリーンへの光路中に設けられた基材又は支持台に取り付けられたセンサと、
前記表示画面データに基づいて補正データを得ると共に、前記補正データをメモリに書き込む演算処理装置と、
前記メモリに書き込まれた補正データに基づいて前記光学エンジンに入力されるビデオ信号を補正するガンマ補正回路とを有し、
前記メモリに書き込まれた補正データは前記演算処理装置によって定期的に書き換えられることを特徴とした表示装置である。
【手続補正５】
【補正対象書類名】明細書
【補正対象項目名】００１５
【補正方法】変更
【補正の内容】
【００１５】
また、本発明の他の構成は、
光学エンジンと、
前記光学エンジンからの映像光が表示されるスクリーンと、
前記映像光を前記スクリーンに導くミラーと、
前記映像光から表示画面データをアナログ信号として検知可能な、前記光学エンジンから前記スクリーンへの光路中に設けられた基材又は支持台に取り付けられたセンサと、
前記表示画面データをデジタル信号に変換するＡ／Ｄ変換器と、
前記デジタル信号に変換された表示画面データから補正データを得ると共に、前記補正データをメモリに書き込む演算処理装置と、
前記メモリに書き込まれた補正データに基づいて前記光学エンジンに入力されるビデオ信号を補正するガンマ補正回路とを有し、
前記メモリに書き込まれた補正データは前記演算処理装置によって定期的に書き換えられることを特徴とした表示装置である。
【手続補正６】
【補正対象書類名】明細書
【補正対象項目名】００１６
【補正方法】変更
【補正の内容】
【００１６】
また、本発明の他の構成は、
映像光を得る手段と、
前記映像光から表示画面データを得る検知手段と、
前記表示画面データに基づいて補正データを得ると共に、前記補正データをメモリに書き込む手段と、
前記メモリに書き込まれた補正データに基づいて前記映像光を得る手段に入力されるビデオ信号を補正する手段とを有し、
前記メモリに書き込まれた補正データは定期的に書き換えられることを特徴とした表示装置補正システムである。